(57)【要約】      （修正有）【課題】アンケートなどでの回答収集において、回答の内容が第三者に対して秘匿される回答集計用端末装置を提供する。【解決手段】回答集計用端末装置２は、表面２０２と側面２０７の外観は中心線２０９を軸として回転対称となる形状となっている。表面２０２に設けられた押しボタンスイッチ２０３も同様に回転対称となるように配置されている。表面２０２には押しボタンスイッチ２０３の意味の表示、若しくはそれを類推する表示はせず、裏面２０４の押しボタンスイッチ２０３の位置に対向する場所に、ボタンの意味を示す識別部２０５を設ける。第三者は回答集計用端末装置２を下側から覗き込まない限り視認できず、回答者以外の第三者には押しボタンスイッチ２０３の意味は判別できないので回答の秘匿性を確保できる。【選択図】図２
0003188262.tif 000002
【実用新案登録請求の範囲】
【請求項１】
質問回答者からの回答を匿名で収集し、回答集計装置へ伝達するための、回答集計用端末装置において、
前記回答集計用端末装置の筐体の表面には押しボタンスイッチを配し、
前記筐体の外形状を、前記筐体の平面と垂直に交差する中心線を軸とする回転対称となるように形成し、
前記押しボタンスイッチは、前記筐体の平面と垂直に交差する中心線を軸とする回転対称となるように、前記筐体の表面に配置し、
前記筐体の表面の反対側にあたる裏面に、前記押しボタンスイッチの位置に対向する部分の少なくとも１つに識別部を設け、
前記筐体の内部には回答集計装置へ回答の情報を無線伝送するための無線送信部を設けた、
ことを特徴とする回答集計用端末装置。
【請求項２】
前記筐体の裏面には凹部を形成し、
前記識別部を前記凹部内に形成し、
前記識別部の高さｈ１は前記凹部の深さＤよりも小さい、
ことを特徴とする請求項１に記載の回答集計用端末装置。
【請求項３】
前記筐体の裏面には、裏面に立設する周回状の壁部を形成し、
前記識別部を前記周回状の壁部内に形成し、
前記識別部の高さｈ２は前記周回状の壁部の高さＨよりも小さい、
ことを特徴とする請求項１に記載の回答集計用端末装置。
【考案の詳細な説明】
【技術分野】
【０００１】  本考案は、質問者が出した質問に対して質問回答者からの回答内容を、回答集計装置へ伝達するための、回答集計用端末装置に関するものであり、特に複数の回答者が居て、各回答者の回答の秘匿性を確保する場合に適したものである。
【背景技術】
【０００２】  従来、学校などにおいて教師から生徒へ質問をするとき、回答集計用端末装置を生徒に操作させて教師へ回答することが行われている。教師側では回答集計装置で集計し質問に対する回答を確認している。通常は質問への回答は挙手や起立などの行為によって意思表示であるが、質問内容によっては回答し辛いこともあり、その場合には、回答集計用端末装置を操作することにより、各生徒の意思表示が分らないようにする必要があった。【０００３】  特許文献１には、複数のスイッチ部および送信部を設けた操作端末装置と、この操作端末装置から送信された信号を処理し集計する集計処理装置、から成るアンケートデータ収集システムが記載されている。この操作端末装置の入力パネル上には、必要に応じて適宜配置された複数のスイッチ操作部があり、スイッチ操作部にはスイッチの意味を示す表示がされている。アンケートの回答者は質問に応じて、意味が表示されたスイッチ操作部を押して回答するようになっている。
【先行技術文献】
【特許文献】
【０００４】
【特許文献１】特開平１１−３９３５１
【考案の概要】
【考案が解決しようとする課題】
【０００５】  特許文献１に記載されているような操作端末装置であると、スイッチ操作部に設けられた表示があるため、回答の趣旨が視覚的に判別できる。したがって回答者が集合して複数居る学校の教室などの場合は、誰がどのような回答をしたかということが、第三者に見られ、知られてしまうという問題がある。またスイッチ操作部の位置も任意の場所に設けられているため、スイッチ操作部どうしの位置関係や、スイッチ操作部と操作端末装置の外形状との位置関係により、どのような回答をしたのかが第三者に知られてしまう。【０００６】  そこで本考案の目的は、スイッチ操作を第三者に見られたとしても回答の内容が秘匿される回答集計用端末装置を実現することである。
【課題を解決するための手段】
【０００７】  第１の考案は、質問回答者からの回答を匿名で収集し、回答集計装置へ伝達するための、回答集計用端末装置において、回答集計用端末装置の筐体の表面には押しボタンスイッチを配し、筐体の外形状を、筐体の平面と垂直に交差する中心線を軸とする回転対称となるように形成し、押しボタンスイッチは、筐体の平面と垂直に交差する中心線を軸とする回転対称となるように、筐体の表面に配置し、筐体の表面の反対側にあたる裏面に、押しボタンスイッチの位置に対向する部分の少なくとも１つに識別部を設けた、ことを特徴とする回答集計用端末装置である。【０００８】  第２の考案は、第１の考案において、筐体の裏面に凹部を形成し、識別部を凹部内に形成し、識別部の高さは奥部の深さよりも小さい値にする、ことを特徴とする回答集計用端  末装置である。【０００９】  第３の考案は、第１の考案において、筐体の裏面に、裏面に立設する周回状の壁部を形成し、識別部を周回状の壁部内に形成し、識別部の高さは周回状の壁部の高さよりも小さ  い値にする、ことを特徴とする回答集計用端末装置である。
【考案の効果】
【００１０】  本考案によれば、回答集計用端末装置は筐体の外形状を、筐体の平面と垂直に交差する中心線を軸とする回転対称となるように形成し、押しボタンスイッチは、筐体の平面と垂直に交差する中心線を軸とする回転対称となるように筐体の表面に配置しているため、押しボタンスイッチどうしや筐体の外形状と押しボタンスイッチとの位置関係から、押しボタンスイッチの意味は分らない。また識別部は表面に設けず、筐体の裏面の、押しボタンスイッチの位置に対向する部分の少なくとも１つに識別部を設けたため、第三者は識別部が見えない。したがって第三者は押しボタンの回答趣旨は判別できず、回答者がどのような回答をしたのか第三者に知られてしまう恐れがない。【００１１】  第２、第３の考案によれば、識別部は筐体裏面の凹部または周回状の壁部内に設けられるため、更に、第三者が識別部を視認することは困難となり、より確実な秘匿が可能となる。
【図面の簡単な説明】
【００１２】
【図１】本考案に係る回答集計用端末装置と回答集計装置から構成される回答集計システムの構成を示した図である。
【図２】本考案の実施の形態に係る回答集計用端末装置の外観形状を、表面（ａ）、側面（ｂ）、裏面（ｃ）の三方向で示した図である。
【図３】裏面に凹部を形成した本考案の実施の形態に係る回答集計用端末装置の外観を、表面（ａ）、側面（ｂ）、裏面（ｃ）の三方向で示した図である。
【図４】裏面に周回状の壁部を形成した本考案の実施例の形態に係る回答集計用端末装置の外観を、表面（ａ）、側面（ｂ）、裏面（ｃ）の三方向で示した図である。
【考案を実施するための形態】
【００１３】  以下、本考案の具体的な実施例について図を参照に説明するが、本考案は実施例に限定されるものではない。
【実施例１】
【００１４】  図１は、回答集計システムの構成を示した図である。回答集計システムは回答集計装置１と複数の回答集計用端末装置２から構成されている。回答集計装置１はアンケート等の質問者、例えば教育現場の教師が操作し、回答の集計を行うためのものである。回答集計用端末装置２は教師からの質問に回答する生徒達がそれぞれ１台ずつ所持し、質問の都度、生徒が操作して回答をするためのものである。生徒が回答集計用端末装置２を操作すると、その信号が内蔵された無線送信回路部２０６から無線送信される。回答集計装置１は無線送信された信号を受信し、回答の集計を行う。【００１５】  図２は、実施例１の回答集計用端末装置２を示した図である。回答集計用端末装置２は長方体状のプラスティック製の筐体２０１、表面２０２に配設された押しボタンスイッチ２０３、裏面２０４に配設された識別部２０５、筐体２０１の内部に配設された無線送信回路部２０６で構成されている。この回答集計用端末装置２の表面２０２と側面２０７の外観は、表面２０２の二つの対角線の交点２０８を通り、表面２０２を垂直に貫く中心線２０９を軸として１８０度回転して左右が対称となる回転対称の形状となっている。【００１６】  表面２０２には、押しボタンスイッチ２０３が中心線２０９を軸とした回転対称となるように、２個配置されている。１８０度回転したときに、回転前と異なった外観となるようなスイッチ形状、色、配置などは好ましくない。質問に対して回答者は「はい」または「いいえ」で回答し、一方の押しボタンスイッチ２０３が「はい」に、他方の押しボタンスイッチ２０３が「いいえ」に対応しているが、表面２０２には「はい」と「いいえ」の表示、若しくはそれを類推する表示はしていない。【００１７】  裏面２０４には、押しボタンスイッチ２０３の位置に対向する場所に、ボタンの意味を示す識別部２０５が設けられ、片方の押しボタンスイッチに対応する識別部２０５を「○」とし、他方の押しボタンスイッチに対応する識別部２０５を「×」としている。当該実施例では識別部２０５を、裏面２０４を形成するプラスティックに陥凹状に形成した。回答者は裏面２０４に添えた指で陥凹状の識別部２０５に触れて、押しボタンスイッチの意味を認識できるが、裏面の識別部２０５は、回答集計用端末装置２を下側から覗き込まない限り視認できず、回答者以外の第三者には押した押しボタンスイッチ２０３の意味は判別できない。なお識別部２０５は触覚で判別するため、片方の識別部２０５と他方の識別部２０５は触って差異が判別しやすい形状とすることが好ましい。【００１８】  押しボタンスイッチ２０３を押したことによって発生した信号は、無線送信回路部２０６において回答集計装置１で集計するための信号に処理され、無線送信され、回答集計装置１で受信され回答集計される。【００１９】  本実施例では、識別部２０５を陥凹状に形成したが、指による触覚で認識でき、外部から視認し辛い状態であれば陥凹状に限定されるものではなく、凸状にプラスティックで一体形成されたものでもよく、シール等の貼付によるものでもよい。また識別部２０５を片方のみに設けるだけでもよい。また回答集計用端末装置２の筐体２０１は長方体状のプラステ���ック製としたが、中心線２０９を軸として１８０度回転して左右が対称となる回転対称の形状であればよく、長方体に限定するものではない。素材もプラスティックに限定されるものではない。
【実施例２】
【００２０】  図３は、実施例２の回答集計用端末装置３を示した図である。回答集計用端末装置３は長方体状のプラスティック製の筐体３０１、表面３０２に配設された押しボタンスイッチ３０３、裏面３０４に配設された識別部３０５、筐体３０１の内部に配設された無線送信回路部３０６で構成されている。この回答集計用端末装置３の表面３０２と側面３０７の外観は、表面３０２の二つの対角線の交点３０８を通り、表面３０２を垂直に貫く中心線３０９を軸として１８０度回転して左右が対称となる回転対称の形状となっている。【００２１】  表面３０２には、押しボタンスイッチ３０３が中心線３０９を軸とした回転対称となるように、２個配置されている。１８０度回転したときに、回転前と異なった外観となるようなスイッチ形状、色、配置などは好ましくない。質問に対して回答者は「はい」または「いいえ」で回答し、一方の押しボタンスイッチ３０３が「はい」に、他方の押しボタンスイッチ３０３が「いいえ」に対応しているが、表面３０２には「はい」と「いいえ」の表示、若しくはそれを類推する表示はしていない。【００２２】  裏面３０４には、中心線３０９を軸として１８０度回転して左右が対称となる回転対称の形状の凹部３１０を形成している。この凹部３１０内の、片方の押しボタンスイッチ３０３の位置に対向する場所の裏面３０４に、ボタンの意味を示す識別部３０５が設けられている。この識別部３０５の高さｈ１は凹部３１０の深さＤよりも小さい半球状凸部として、プラスティックで筐体３０１の裏面３０４と一体形成している。本実施例では識別部３０５は半球状凸部としたが、回答者が指で触って判別できるものであれば半球状凸部に限定するものではない。また本実施例では識別部３０５を片方のみに設けたが、両方のボタンに対応するようにそれぞれに設けてもよく、その場合には実施例１のような「○」と「×」を示す凸形状としても、陥凹状としてもよい。【００２３】  当該実施例では、質問者が質問の際に、例えば、「はい」の回答者は識別部３０５がある方の押しボタンスイッチを押すように指示をすれば、回答者は正しい押しボタン操作が可能である。一方、回答者以外の第三者には、裏面の識別部３０５を下側から覗き込んでも識別部３０５が凹部３１０内に隠れた状態になっているために視認できず、押した押しボタンスイッチ３０３の意味は判別できない。【００２４】  押しボタンスイッチ３０３を押したことによって発生した信号は、無線送信回路部３０６において回答集計装置１で集計するための信号に処理され、無線送信され、回答集計装置１で受信され回答集計される。
【実施例３】
【００２５】  図４は、実施例３の回答集計用端末装置４を示した図である。回答集計用端末装置４は長方体状のプラスティック製の筐体４０１、表面４０２に配設された押しボタンスイッチ４０３、裏面４０４に配設された識別部４０５、筐体４０１の内部に配設された無線送信回路部４０６で構成されている。この回答集計用端末装置４の表面４０２と側面４０７の外観は、表面４０２の二つの対角線の交点４０８を通り、表面４０２を垂直に貫く中心線４０９を軸として１８０度回転して左右が対称となる回転対称の形状となっている。【００２６】  表面４０２には、押しボタンスイッチ４０３が中心線４０９を軸とした回転対称となるように、２個配置されている。１８０度回転したときに、回転前と異なった外観となるようなスイッチ形状、色、配置などは好ましくない。質問に対して回答者は「はい」または「いいえ」で回答し、一方の押しボタンスイッチ４０３が「はい」に、他方の押しボタンスイッチ４０３が「いいえ」に対応しているが、表面４０２には「はい」と「いいえ」の表示、若しくはそれを類推する表示はしていない。【００２７】  裏面４０４には、中心線４０９を軸として１８０度回転して左右が対称となる回転対称の形状の周回状壁部４１０を裏面４０４と一体で形成している。この周回状壁部４１０の内側の、片方の押しボタンスイッチ４０３の位置に対向する場所の裏面４０４に、ボタンの意味を示す半球状凸部から成る識別部４０５が設けられている。この識別部４０５の高さｈ２は周回状壁部４１０の高さＨよりも小さくしているため、識別部４０５は周回状壁部４１０に隠れた状態となり、周囲に居る第三者からは識別部４０５の視認が困難である。【００２８】  当該実施例では、質問者が質問の際に、例えば、「はい」の回答者は識別部４０５がある方の押しボタンスイッチを押すように指示をすれば、回答者は正しい押しボタン操作が可能である。一方、回答者以外の第三者には、裏面の識別部４０５を下側から覗き込んでも識別部が周回状壁部４１０内に隠れた状態になっているために視認できず、押した押しボタンスイッチ４０３の意味は判別できない。【００２９】  押しボタンスイッチ４０３を押したことによって発生した信号は、無線送信回路部４０６において回答集計装置１で集計するための信号に処理され、無線送信され、回答集計装置１で受信され回答集計される。【００３０】  なお、本考案の回答集計用端末装置は押しボタンスイッチの意味付けが回答者以外の第三者に知られないという効果を有するが、複数の質問を繰り返すうちに、質問の内容と押しボタンスイッチを押す状況の観察で、回答を類推できる可能性がある。そのため、本考案の回答集計用端末装置は、回転対称であるため、質問の途中、意識的に回答集計用端末装置自体を回転させれば、第三者には回答の類推ができなくなるという効果もある。
【産業上の利用可能性】
【００３１】  本考案は、教育現場などにおいて秘匿性を必要とするアンケートなどを実施する場合に適している。
【符号の説明】
【００３２】１：回答集計装置
２、３、４、：回答集計用端末装置
２０１、３０１、４０１：筐体
２０２、３０２、４０２：表面
２０３、３０３、４０３：押しボタンスイッチ
２０４、３０４、４０４：裏面
２０５、３０５、４０５：識別部
２０６、３０６、４０６：無線送信回路部
２０７、３０７、４０７：側面
２０８、３０８、４０８：交点
２０９、３０９、４０９：中心線
３１０：凹部
４１０：周回状の壁部
【図１】
0003188262.tif 000003
【図２】
0003188262.tif 000004
【図３】
0003188262.tif 000005
【図４】
0003188262.tif 000006